(57)【要約】【課題】  カメラで撮影された画像ファイルを効率的に分類して保存できる移動通信端末機の画像ファイル保存方法を提供する。【解決手段】  移動通信端末機の画像ファイル保存方法は、少なくとも１つ以上の予め設定したオプションに基づいて、画像ファイルに名前を付ける段階と、名前が付けられた画像ファイルを、使用者により選択された保存位置に保存する段階とを含む。１つの局面において、移動通信端末機の画像ファイル保存方法は、少なくとも１つ以上の予め設定したオプションに基づいて、表示された画像ファイルの名前を変更するかどうかを確認する段階と、画像ファイルの名前を変更するとき、使用者により入力された情報によって、画像ファイルに名前を付ける段階と、名前が付けられた画像ファイルを、予め設定した保存位置に保存する段階とを含む。【選択図】  図１
2006109437.tif 000002
【特許請求の範囲】
【請求項１】
少なくとも１つ以上の予め設定したオプションに基づいて、画像ファイルに名前を付ける段階と、
前記名前が付けられた画像ファイルを、使用者により選択された保存位置に保存する段階と、
を含むことを特徴とする移動通信端末機の画像ファイル保存方法。
【請求項２】
使用者により保存位置が選択されないとき、前記名前が付けられた画像ファイルを、デフォルトとして設定された保存位置に保存する段階をさらに含むことを特徴とする請求項１に記載の移動通信端末機の画像ファイル保存方法。
【請求項３】
前記予め設定したオプションが、前記画像ファイルのテーマ、日付、曜日、サイズ、及び番号の少なくとも１つ以上を含むことを特徴とする請求項１に記載の移動通信端末機の画像ファイル保存方法。
【請求項４】
前記番号が、前記テーマによる一連番号であることを特徴とする請求項３に記載の移動通信端末機の画像ファイル保存方法。
【請求項５】
前記画像ファイルが、動画像ファイル又は静止画像ファイルであることを特徴とする請求項１に記載の移動通信端末機の画像ファイル保存方法。
【請求項６】
少なくとも１つ以上の予め設定したオプションに基づいて、表示された画像ファイルの名前を変更するかどうかを確認する段階と、
前記画像ファイルの名前を変更するとき、使用者により入力された情報によって、前記画像ファイルに名前を付ける段階と、
前記名前が付けられた画像ファイルを、予め設定した保存位置に保存する段階と、
を含むことを特徴とする移動通信端末機の画像ファイル保存方法。
【請求項７】
前記予め設定したオプションが、前記画像ファイルのテーマ、日付、曜日、サイズ、及び番号の少なくとも１つ以上を含むことを特徴とする請求項６に記載の移動通信端末機の画像ファイル保存方法。
【請求項８】
前記番号が、前記テーマによる一連番号であることを特徴とする請求項７に記載の移動通信端末機の画像ファイル保存方法。
【請求項９】
前記画像ファイルが、動画像ファイル又は静止画像ファイルであることを特徴とする請求項６に記載の移動通信端末機の画像ファイル保存方法。
【請求項１０】
前記画像ファイルに名前を付ける段階は、
前記画像ファイルの名前を変更するとき、使用者により変更する情報が入力される段階と、
前記入力された情報に基づいて、前記予め設定したオプションを変更する段階と、
前記変更したオプションに基づいて、前記画像ファイルに名前を付ける段階と、
を含むことを特徴とする請求項６に記載の移動通信端末機の画像ファイル保存方法。
【請求項１１】
前記画像ファイルの名前を変更しないとき、前記予め設定したオプションに基づいて表示された名前を前記画像ファイルに付ける段階をさらに含むことを特徴とする請求項６に記載の移動通信端末機の画像ファイル保存方法。
【請求項１２】
前記予め設定した保存位置に保存する段階は、
前記名前が付けられた画像ファイルの保存位置を変更するかどうかを確認する段階と、
前記画像ファイルの保存位置を変更するとき、使用者により選択されたフォルダを前記保存位置として決定する段階と、
前記決定された保存位置に前記名前が付けられた画像ファイルを保存する段階と、
を含むことを特徴とする請求項６に記載の移動通信端末機の画像ファイル保存方法。
【請求項１３】
前記画像ファイルの保存位置を変更しないとき、デフォルトとして設定されたフォルダを前記保存位置として決定する段階をさらに含むことを特徴とする請求項１２に記載の移動通信端末機の画像ファイル保存方法。
【請求項１４】
前記保存位置として決定する段階は、
前記画像ファイルの保存位置を変更するとき、新しいフォルダを生成するかどうかを確認する段階と、
前記新しいフォルダを生成するとき、使用者の選択によって新しいフォルダを生成する段階と、
前記生成されたフォルダを前記保存位置として決定する段階と、
を含むことを特徴とする請求項１２に記載の移動通信端末機の画像ファイル保存方法。
【請求項１５】
前記新しいフォルダを生成しないとき、既に存在するフォルダのいずれか１つのフォルダを選択し、前記選択したフォルダを前記保存位置として決定する段階をさらに含むことを特徴とする請求項１４に記載の移動通信端末機の画像ファイル保存方法。
【請求項１６】
使用者のための情報の入力及び出力を許容する少なくともキーパッド及びディスプレイスクリーンを備える使用者インターフェースと、
画像データを取得するために使用される移動通信端末機内蔵カメラと、
前記画像データを保存するために使用され、保存される画像データのために推奨ラベルを提供するオプションを保存するために使用されるメモリと、
前記使用者インターフェース、前記カメラ、及び前記メモリと連動するプロセッサとを含み、
前記プロセッサは、
前記画像データを前記カメラから取得した後に、使用者が選択できるように、前記使用者インターフェースにより前記オプションを提供する段階と、
前記画像データの使用者管理を容易にするために、使用者により選択されたオプションによって、前記画像データを前記メモリに階層的に保存する段階とを行うことを特徴とする移動通信端末機。
【請求項１７】
前記画像データは、写真、ビデオ、又は他の画像フォーマットであることを特徴とする請求項１６に記載の移動通信端末機。
【請求項１８】
前記オプションは、画像ファイルで保存される各画像データの種類によって選択可能な種々の説明情報を含むことを特徴とする請求項１６に記載の移動通信端末機。
【請求項１９】
前記オプションから選択された推奨ラベルが、前記画像ファイルに自動的に添付されるか、又は使用者により変更されてその変更されたラベルが前記画像ファイルに添付されることを特徴とする請求項１８に記載の移動通信端末機。
【請求項２０】
前記画像ファイルのうち、共通のラベル又は共通の説明情報を有する画像ファイルは、前記メモリの少なくとも１つ以上の別個のフォルダ内に共に保存されて、前記階層的に保存することを特徴とする請求項１８に記載の移動通信端末機。
【発明の詳細な説明】
【技術分野】
【０００１】
本発明は、移動通信端末機に関し、特に、カメラで撮影された画像ファイルを効率的に分類して保存できる移動通信端末機の画像ファイル保存方法に関する。
【背景技術】
【０００２】
一般に、移動通信端末機は、基地局により形成されるサービスエリア内で移動しながら、ＭＳＣ（Ｍｏｂｉｌｅ  Ｓｗｉｔｃｈｉｎｇ  Ｃｅｎｔｅｒ）のスイッチング制御により、いつどこでも直ちに相手を無線呼出及び無線接続して通信することができる装置であって、音声通信だけでなく、記号、数字、文字などが含まれるデータ通信、及び映像信号が含まれるマルチメディア通信が可能である。特に、大型ディスプレイ装置とカメラを装着することにより動画像撮影が可能な移動通信端末機の開発が活発に行なわれている。
【０００３】
前記移動通信端末機には、通信機能の他に、実生活に応用されて利便性を高め、通信の活用性を高める多様な付加サービスが開発されて提供されているが、端末機メーカーにより提供される、被写体を撮影して保存するカメラ機能の付加サービスに人気がある。
【０００４】
前記移動通信端末機は、日付と番号を利用して、カメラで撮影された画像ファイルに自動で名前を付ける。例えば、前記移動通信端末機は、画像ファイルに「０５０４２０＿００１」のような名前を自動で付けることができるが、ここで、「０５０４２０」は２００５年０４月２０日を示す今日の日付であり、「００１」は画像ファイル毎に付けられて１ずつ増加する一連番号を示す。
【０００５】
しかしながら、前記移動通信端末機は、日付と番号のみを利用して、画像ファイルに自動で名前を付けるため、どのような目的で撮影された画像ファイルであるかが分からなかった。
【０００６】
また、前記移動通信端末機は、名前が付けられた画像ファイルを同じ保存位置に保存するため、撮影された画像ファイルを目的によって多様に分類することができなかった。
【０００７】
以上説明したように、従来の移動通信端末機においては、日付と番号を利用して画像ファイルに自動で名前を付け、前記名前が付けられた画像ファイルを同じ保存位置に保存するため、カメラで撮影された画像ファイルを効率的に分類して保存することができないという問題があった。
【発明の開示】
【発明が解決しようとする課題】
【０００８】
本発明は、このような従来技術の問題を解決するためになされたもので、少なくとも１つ以上の予め設定したオプションに基づいて画像ファイルに名前を付け、前記名前が付けられた画像ファイルを使用者により選択された保存位置に保存することにより、カメラで撮影された画像ファイルを効率的に分類して保存することができる移動通信端末機の画像ファイル保存方法を提供することを目的とする。
【課題を解決するための手段】
【０００９】
上記の目的を達成するために、本発明による移動通信端末機の画像ファイル保存方法は、少なくとも１つ以上の予め設定したオプションに基づいて、画像ファイルに名前を付ける段階と、前記名前が付けられた画像ファイルを、使用者により選択された保存位置に保存する段階とを含むことを特徴とする。
【００１０】
また、上記の目的を達成するために、本発明による移動通信端末機の画像ファイル保存方法は、少なくとも１つ以上の予め設定したオプションに基づいて、表示された画像ファイルの名前を変更するかどうかを確認する段階と、前記画像ファイルの名前を変更するとき、使用者により入力された情報によって、前記画像ファイルに名前を付ける段階と、前記名前が付けられた画像ファイルを、予め設定した保存位置に保存する段階とを含むことを特徴とする。
【００１１】
上記目的を達成するために、本発明は、例えば、以下の手段を提供する。
（項目１）
少なくとも１つ以上の予め設定したオプションに基づいて、画像ファイルに名前を付ける段階と、
前記名前が付けられた画像ファイルを、使用者により選択された保存位置に保存する段階と、
を含むことを特徴とする移動通信端末機の画像ファイル保存方法。
（項目２）
使用者により保存位置が選択されないとき、前記名前が付けられた画像ファイルを、デフォルトとして設定された保存位置に保存する段階をさらに含むことを特徴とする項目１に記載の移動通信端末機の画像ファイル保存方法。
（項目３）
前記予め設定したオプションが、前記画像ファイルのテーマ、日付、曜日、サイズ、及び番号の少なくとも１つ以上を含むことを特徴とする項目１に記載の移動通信端末機の画像ファイル保存方法。
（項目４）
前記番号が、前記テーマによる一連番号であることを特徴とする項目３に記載の移動通信端末機の画像ファイル保存方法。
（項目５）
前記画像ファイルが、動画像ファイル又は静止画像ファイルであることを特徴とする項目１に記載の移動通信端末機の画像ファイル保存方法。
（項目６）
少なくとも１つ以上の予め設定したオプションに基づいて、表示された画像ファイルの名前を変更するかどうかを確認する段階と、
前記画像ファイルの名前を変更するとき、使用者により入力された情報によって、前記画像ファイルに名前を付ける段階と、
前記名前が付けられた画像ファイルを、予め設定した保存位置に保存する段階と、
を含むことを特徴とする移動通信端末機の画像ファイル保存方法。
（項目７）
前記予め設定したオプションが、前記画像ファイルのテーマ、日付、曜日、サイズ、及び番号の少なくとも１つ以上を含むことを特徴とする項目６に記載の移動通信端末機の画像ファイル保存方法。
（項目８）
前記番号が、前記テーマによる一連番号であることを特徴とする項目７に記載の移動通信端末機の画像ファイル保存方法。
（項目９）
前記画像ファイルが、動画像ファイル又は静止画像ファイルであることを特徴とする項目６に記載の移動通信端末機の画像ファイル保存方法。
（項目１０）
前記画像ファイルに名前を付ける段階は、
前記画像ファイルの名前を変更するとき、使用者により変更する情報が入力される段階と、
前記入力された情報に基づいて、前記予め設定したオプションを変更する段階と、
前記変更したオプションに基づいて、前記画像ファイルに名前を付ける段階と、
を含むことを特徴とする項目６に記載の移動通信端末機の画像ファイル保存方法。
（項目１１）
前記画像ファイルの名前を変更しないとき、前記予め設定したオプションに基づいて表示された名前を前記画像ファイルに付ける段階をさらに含むことを特徴とする項目６に記載の移動通信端末機の画像ファイル保存方法。
（項目１２）
前記予め設定した保存位置に保存する段階は、
前記名前が付けられた画像ファイルの保存位置を変更するかどうかを確認する段階と、
前記画像ファイルの保存位置を変更するとき、使用者により選択されたフォルダを前記保存位置として決定する段階と、
前記決定された保存位置に前記名前が付けられた画像ファイルを保存する段階と、
を含むことを特徴とする項目６に記載の移動通信端末機の画像ファイル保存方法。
（項目１３）
前記画像ファイルの保存位置を変更しないとき、デフォルトとして設定されたフォルダを前記保存位置として決定する段階をさらに含むことを特徴とする項目１２に記載の移動通信端末機の画像ファイル保存方法。
（項目１４）
前記保存位置として決定する段階は、
前記画像ファイルの保存位置を変更するとき、新しいフォルダを生成するかどうかを確認する段階と、
前記新しいフォルダを生成するとき、使用者の選択によって新しいフォルダを生成する段階と、
前記生成されたフォルダを前記保存位置として決定する段階と、
を含むことを特徴とする項目１２に記載の移動通信端末機の画像ファイル保存方法。
（項目１５）
前記新しいフォルダを生成しないとき、既に存在するフォルダのいずれか１つのフォルダを選択し、前記選択したフォルダを前記保存位置として決定する段階をさらに含むことを特徴とする項目１４に記載の移動通信端末機の画像ファイル保存方法。
（項目１６）
使用者のための情報の入力及び出力を許容する少なくともキーパッド及びディスプレイスクリーンを備える使用者インターフェースと、
画像データを取得するために使用される移動通信端末機内蔵カメラと、
前記画像データを保存するために使用され、保存される画像データのために推奨ラベルを提供するオプションを保存するために使用されるメモリと、
前記使用者インターフェース、前記カメラ、及び前記メモリと連動するプロセッサとを含み、
前記プロセッサは、
前記画像データを前記カメラから取得した後に、使用者が選択できるように、前記使用者インターフェースにより前記オプションを提供する段階と、
前記画像データの使用者管理を容易にするために、使用者により選択されたオプションによって、前記画像データを前記メモリに階層的に保存する段階とを行うことを特徴とする移動通信端末機。
（項目１７）
前記画像データは、写真、ビデオ、又は他の画像フォーマットであることを特徴とする項目１６に記載の移動通信端末機。
（項目１８）
前記オプションは、画像ファイルで保存される各画像データの種類によって選択可能な種々の説明情報を含むことを特徴とする項目１６に記載の移動通信端末機。
（項目１９）
前記オプションから選択された推奨ラベルが、前記画像ファイルに自動的に添付されるか、又は使用者により変更されてその変更されたラベルが前記画像ファイルに添付されることを特徴とする項目１８に記載の移動通信端末機。
（項目２０）
前記画像ファイルのうち、共通のラベル又は共通の説明情報を有する画像ファイルは、前記メモリの少なくとも１つ以上の別個のフォルダ内に共に保存されて、前記階層的に保存することを特徴とする項目１８に記載の移動通信端末機。
【発明の効果】
【００１２】
本発明による移動通信端末機の画像ファイル保存方法は、少なくとも１つ以上の予め設定したオプションに基づいて画像ファイルに名前を付け、前記名前が付けられた画像ファイルを使用者により選択された保存位置に保存することにより、カメラで撮影された画像ファイルを効率的に分類して保存することができるという効果がある。
【発明を実施するための最良の形態】
【００１３】
以下、少なくとも１つ以上の予め設定したオプションに基づいて画像ファイルに名前を付け、前記名前が付けられた画像ファイルを使用者により選択された保存位置に保存することにより、カメラで撮影された画像ファイルを効率的に分類して保存することができる、本発明による移動通信端末機の画像ファイル保存方法の好ましい実施形態を添付の図面を参照して説明する。
【００１４】
図１は、本発明による移動通信端末機の画像ファイル保存方法を示すフローチャートである。
【００１５】
図１に示すように、本発明による移動通信端末機の画像ファイル保存方法は、画像ファイルを保存するオプションを予め設定する段階（Ｓ１００）と、カメラで被写体を撮影して画像ファイルを生成する段階（Ｓ２００）と、前記生成された画像ファイルを保存するかどうかを確認する段階（Ｓ３００）と、前記生成された画像ファイルを保存するとき、前記予め設定したオプションに基づいて、前記画像ファイルに名前を付ける段階（Ｓ４００）と、前記名前が付けられた画像ファイルを保存する保存位置を、使用者の選択によって決定する段階（Ｓ５００）と、前記決定された保存位置に前記名前が付けられた画像ファイルを保存する段階（Ｓ６００）とを含む。
【００１６】
また、前記移動通信端末機は、前記生成された画像ファイルを保存しないとき、前記生成された画像ファイルを削除し、続けて、前記カメラで被写体を撮影する。
【００１７】
以下、このような本発明による移動通信端末機の画像ファイル保存方法をより詳しく説明する。
【００１８】
まず、移動通信端末機は、カメラで撮影された画像ファイルを保存するオプションを予め設定する（Ｓ１００）。即ち、前記移動通信端末機は、使用者の選択によって、前記画像ファイルに名前を付ける少なくとも１つ以上のオプションを予め設定することができるだけでなく、前記画像ファイルが保存される保存位置をデフォルトとして予め設定することもできる。
【００１９】
例えば、前記移動通信端末機は、新しい画像ファイルに付ける名前を決定するオプション１）テーマ、２）日付、３）曜日、４）サイズ、５）番号などを提供することにより、使用者は、前記提供されるオプションのうち少なくとも１つ以上のオプションを選択することができる。
【００２０】
ここで、使用者が前記オプションのうち、１）テーマ、２）日付、５）番号を選択すると、前記移動通信端末機は、画像ファイルに「ＳＥＡ＿０５０４２０＿００１」のような名前を付けることができるが、前記１）テーマは、使用者が直接入力することができる。このような形式以外にも、多様なオプションを容易に追加することができるだけでなく、使用者の選択によって多様な形式の名前を付けることができる。
【００２１】
その後、前記移動通信端末機は、前記カメラで被写体を撮影して画像ファイルを生成し（Ｓ２００）、前記生成された画像ファイルを保存するかどうかを使用者に確認する（Ｓ３００）。前記移動通信端末機は、前記画像ファイルを保存しないとき、前記画像ファイルを削除し、続けて、前記カメラで被写体を撮影することができる。
【００２２】
反面、前記画像ファイルを保存するとき、前記移動通信端末機は、前記予め設定したオプションに基づいて決定された画像ファイルの名前をディスプレイ装置に表示する。
【００２３】
以下、このような画像ファイルの名前を付ける方法を図２を参照して説明する。
【００２４】
図２は、図１における画像ファイルの名前を付ける方法を示すフローチャートである。
【００２５】
図２に示すように、本発明による移動通信端末機の画像ファイルの名前を付ける方法は、表示された画像ファイルの名前を変更するかどうかを確認する段階（Ｓ４１０）と、前記画像ファイルの名前を変更するとき、使用者により変更する情報が入力される段階（Ｓ４２０）と、前記入力された情報に基づいて、予め設定したオプションを変更する段階（Ｓ４３０）と、前記変更したオプションに基づいて、前記画像ファイルに名前を付ける段階（Ｓ４４０）とを含む。
【００２６】
また、前記移動通信端末機は、前記画像ファイルの名前を変更しないとき、前記予め設定したオプションに基づいて表示された名前を前記画像ファイルに付ける（Ｓ４５０）。
【００２７】
以下、このような本発明による移動通信端末機の画像ファイルの名前を付ける方法をより詳しく説明する。
【００２８】
まず、移動通信端末機は、予め設定したオプションに基づいて、生成された画像ファイルの名前を表示し、前記表示された画像ファイルの名前を変更するかどうかを確認する（Ｓ４１０）。その後、前記移動通信端末機は、前記表示された画像ファイルの名前を変更しないとき、前記表示された画像ファイルの名前を前記生成された画像ファイルの名前として決定し、前記決定された名前を前記生成された画像ファイルに付ける（Ｓ４５０）。
【００２９】
反面、前記表示された画像ファイルの名前を変更するとき、使用者は、前記表示された画像ファイルの名前を直接変更する（Ｓ４２０）。例えば、前記表示された画像ファイルの名前が「ＳＥＡ＿０５０４２０＿００１」の場合、使用者が入力装置を利用して「ＳＥＡ」を「ＳＫＹ」に変更すると、前記移動通信端末機は、前記表示された画像ファイルの名前を「ＳＫＹ＿０５０４２０＿００１」に変更する。
【００３０】
前記移動通信端末機は、前記変更した情報に基づいて、前記予め設定したオプションを変更する（Ｓ４３０）。即ち、前記移動通信端末機は、前記「ＳＫＹ＿０５０４２０＿００１」という名前から画像ファイルのテーマが変更されたことを認知し、前記変更した情報に基づいて、前記予め設定したオプションを変更する。
【００３１】
次に、前記移動通信端末機は、前記変更したオプションに基づいて、前記表示された画像ファイルの名前を「ＳＫＹ＿０５０４２０＿００１」と付け（Ｓ４４０）、前記名前が付けられた画像ファイルを保存するための保存位置を決定する（Ｓ５００）。
【００３２】
以下、このように名前が付けられた画像ファイルの保存位置を決定する方法を図３を参照して説明する。
【００３３】
図３は、図１における画像ファイルの保存位置を決定する方法を示すフローチャートである。
【００３４】
図３に示すように、本発明による移動通信端末機の画像ファイルの保存位置を決定する方法は、名前が付けられた画像ファイルの保存位置を変更するかどうかを確認する段階（Ｓ５１０）と、前記画像ファイルの保存位置を変更するとき、新しいフォルダを生成するかどうかを確認する段階（Ｓ５２０）と、前記新しいフォルダを生成するとき、使用者の選択によって新しいフォルダを生成する段階（Ｓ５３０）と、前記生成されたフォルダを前記画像ファイルの保存位置として決定する段階（Ｓ５４０）とを含む。
【００３５】
また、前記名前が付けられた画像ファイルの保存位置を変更しないとき、前記移動通信端末機は、デフォルトとして設定されたフォルダを保存位置として決定し（Ｓ５６０）、前記新しいフォルダを生成しないとき、既に存在するフォルダのうち使用者により選択されたフォルダを保存位置として決定する（Ｓ５５０）。
【００３６】
以下、このような本発明による移動通信端末機の画像ファイルの保存位置を決定する方法をより詳しく説明する。
【００３７】
まず、移動通信端末機は、名前が付けられた画像ファイルの保存位置を変更するかどうかを使用者に確認する（Ｓ５１０）。その後、前記移動通信端末機は、前記画像ファイルの保存位置を変更しないとき、デフォルトとして設定されたフォルダを前記画像ファイルの保存位置として決定し（Ｓ５６０）、前記画像ファイルの保存位置を変更するとき、新しいフォルダを生成するかどうかを確認する（Ｓ５２０）。
【００３８】
前記移動通信端末機は、前記新しいフォルダを生成しないとき、既に存在するフォルダのいずれか１つのフォルダを選択し、前記選択されたフォルダを前記画像ファイルの保存位置として決定する（Ｓ５５０）。
【００３９】
反面、前記新しいフォルダを生成するとき、前記移動通信端末機は、使用者の選択によって新しいフォルダを生成し（Ｓ５３０）、前記生成された新しいフォルダを前記画像ファイルの保存位置として決定する（Ｓ５４０）。
【００４０】
次に、前記移動通信端末機は、前記決定された画像ファイルの保存位置、即ち、フォルダに、前記名前が付けられた画像ファイルを保存する（Ｓ６００）。即ち、前記移動通信端末機は、前記画像ファイルの名前と保存位置を使用者の選択によって変更することにより、前記生成された画像ファイルを目的によって体系的に分類することができる。
【００４１】
また、本発明による移動通信端末機の画像ファイルの名前を付ける方法は、以前に保存された画像ファイル、又は画像ファイルが保存されているフォルダを選択し、前記選択された画像ファイル又はフォルダの名前を変更することにより、前記選択された画像ファイルの名前を個別に変更するか、又は前記選択されたフォルダに保存されている複数の画像ファイルの名前を一括して変更することができる。
【００４２】
本発明は、使用者のための情報の入力及び出力を許容する少なくともキーパッド及びディスプレイスクリーンを備える使用者インターフェースと、画像データを取得するために使用される移動通信端末機内蔵カメラと、前記画像データを保存するために使用され、保存される画像データのために推奨ラベルを提供するオプションを保存するために使用されるメモリと、前記使用者インターフェース、前記カメラ、及び前記メモリと連動するプロセッサとを含み、前記プロセッサは、前記画像データを前記カメラから取得した後に、使用者が選択できるように、前記使用者インターフェースにより前記オプションを提供する段階と、前記画像データの使用者管理を容易にするために、使用者により選択されたオプションによって、前記画像データを前記メモリに階層的に保存する段階とを行うことを特徴とする移動通信端末機を提供する。
【００４３】
前記画像データは、写真、ビデオ、又は他の画像フォーマットであり得る。前記オプションは、画像ファイルで保存される各画像データの種類によって選択可能な種々の説明情報を含むことができる。前記オプションから選択された推奨ラベルが、前記画像ファイルに自動的に添付されるか、又は使用者により変更されてその変更されたラベルが前記画像ファイルに添付されることができる。また、前記画像ファイルのうち、共通のラベル又は共通の説明情報を有する画像ファイルは、前記メモリの少なくとも１つ以上の別個のフォルダ内に共に保存されて、前記階層的に保存することができる。
【００４４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４５】
カメラで撮影された画像ファイルを効率的に分類して保存できる移動通信端末機の画像ファイル保存方法を提供する。
【００４６】
移動通信端末機の画像ファイル保存方法は、少なくとも１つ以上の予め設定したオプションに基づいて、画像ファイルに名前を付ける段階と、前記名前が付けられた画像ファイルを、使用者により選択された保存位置に保存する段階とを含む。
【図面の簡単な説明】
【００４７】
【図１】本発明による移動通信端末機の画像ファイル保存方法を示すフローチャートである。
【図２】図１における画像ファイルの名前を付ける方法を示すフローチャートである。
【図３】図１における画像ファイルの保存位置を決定する方法を示すフローチャートである。
【図１】
2006109437.tif 000003
【図２】
2006109437.tif 000004
【図３】
2006109437.tif 000005